(57)【特許請求の範囲】
【請求項１】
ねじ軸の外周面に形成されたねじ溝とナットの内周面に形成されたねじ溝との間を転動するボールを無限循環させるためのエンドデフレタをナットの軸方向両端部に具備し、前記ねじ軸の外周面に形成されたねじ溝が前記ねじ軸の両端部に切り上がり部を有するボールねじ装置において、
前記ねじ軸の外周面に形成されたねじ溝の前記切り上がり部を、前記ねじ軸の谷径以下の外径を有し且つ前記エンドデフレクタに形成されたタングの幅より大きい軸長を有する軸部とし、前記軸部の半径を前記ねじ軸の中心から前記タングまでの径方向距離より小さくしたことを特徴とするボールねじ装置。
【発明の詳細な説明】
【技術分野】
【０００１】
本発明は、ナットの軸方向両端部にエンドデフレクタを有するボールねじ装置に関する。
【背景技術】
【０００２】
ナットの軸方向両端部にエンドデフレクタを有するボールねじ装置としては、従来、特許文献１に記載されたものが知られている。この種のボールねじ装置は、図６に示すように、ねじ軸１と、このねじ軸１の外周面と対向する内周面を有するナット２と、ねじ軸１の外周面に形成されたねじ溝３とナット２の内周面に形成されたねじ溝４との間を転動する多数のボール５とを具備しており、ナット２の軸方向両端部には、ボール５を無限循環させるためのエンドデフレクタ６が組み込まれている。このエンドデフレクタ６はナット２の内周面から突出するタング７を有しており、ねじ溝３とねじ溝４との間を転動したボール５はエンドデフレクタ６のタング７によってねじ軸１のねじ溝３内からすくい上げられた後、ナット２のボール戻し通路（図示せず）に導入されるようになっている。
【０００３】
このようなボールねじ装置は、ねじ軸の外周面に形成されたねじ溝が切り通しのねじ溝である場合には、ナットにねじ軸を挿入した状態でエンドデフレクタをナットの軸方向両端部に組み込むことができるが、ねじ軸の外周面に形成されたねじ溝が切り上がりのねじ溝である場合には、エンドデフレクタに形成されたタングがねじ溝の切り上がり部と干渉してしまうため、ねじ軸をナットに挿入した状態でエンドデフレクタをナットの軸方向両端部に組み込むことができないという不具合がある。そこで、タングをエンドデフレクタと別体に形成し、ナットの軸方向両端部にエンドデフレクタとタングを別々に組み込めるようにしたものが考案されている（例えば、特許文献２参照）。
【特許文献１】特開２００３−３２９０９８号公報
【特許文献２】特開２００４−２７０７９１号公報
【発明の開示】
【発明が解決しようとする課題】
【０００４】
しかしながら、特許文献２に記載されたものでは、タングをエンドデフレクタと別体に形成しなければならないため、コストの上昇などを招くという問題があった。
本発明は上述した問題点に着目してなされたものであり、その目的は、ねじ軸の外周面に形成されたねじ溝が切り上がりのねじ溝である場合でもタングをエンドデフレクタと別体に形成したりすることなくねじ軸をナットに挿入した状態でエンドデフレクタをナットの軸方向両端部に組み込むことのできるボールねじ装置を提供することにある。
【課題を解決するための手段】
【０００５】
上記の目的を達成するために、請求項１記載の発明に係るボールねじ装置は、ねじ軸の外周面に形成されたねじ溝とナットの内周面に形成されたねじ溝との間を転動するボールを無限循環させるためのエンドデフレタをナットの軸方向両端部に具備し、前記ねじ軸の外周面に形成されたねじ溝が前記ねじ軸の両端部に切り上がり部を有するボールねじ装置において、前記ねじ軸の外周面に形成されたねじ溝の前記切り上がり部を、前記ねじ軸の谷径以下の外径を有し且つ前記エンドデフレクタに形成されたタングの幅より大きい軸長を有する軸部とし、前記軸部の半径を前記ねじ軸の中心から前記タングまでの径方向距離より小さくしたことを特徴とする。
【発明の効果】
【０００８】
請求項１記載の発明に係るボールねじ装置によれば、ねじ軸の外周面に形成されたねじ溝が切り通しのねじ溝となり、ねじ軸をナットに挿入した状態でエンドデフレクタをナットの軸方向両端部に組み込むときに、エンドデフレクタに形成されたタングがねじ溝の切り上がり部に干渉することがないので、ねじ軸の外周面に形成されたねじ溝が切り上がりのねじ溝である場合でもタングをエンドデフレクタと別体に形成したりすることなくねじ軸をナットに挿入した状態でエンドデフレクタをナットの軸方向両端部に組み込むことができる。
【発明を実施するための最良の形態】
【０００９】
以下、本発明に係るボールねじ装置を図面に基づいて説明する。図１は本発明の第１の実施形態に係るボールねじ装置のねじ軸端部を示す図、図２は第１の実施形態に係るボールねじ装置のエンドデフレクタを示す図であり、図１に示されるように、第１の実施形態に係るボールねじ装置のねじ軸１はねじ溝３を外周面に有している。このねじ溝３はねじ軸１の両端部に切り上がり部を有しており、ねじ溝３の切り上がり部は、ねじ軸１の谷径をｄ０--、エンドデフレクタ６（図２参照）に形成されたタング７の幅をｘ０とすると、ｄ０以下の外径ｄ（ｄ≦ｄ０）を有し且つｘ０より大きい軸長ｘ（ｘ＞ｘ０）を有する軸部８となっている。また、ねじ軸１の中心からタング７までの径方向距離（タング内接円半径）をｒ０とすると、軸部８の半径ｒ１はｒ１≦ｒ０となっている。
【００１０】
上述した第１の実施形態のように、ねじ溝３の切り上がり部をねじ軸１の谷径ｄ０以下の外径ｄを有し且つタング７の幅ｘ０より大きい軸長ｘを有する軸部８にすると、図１に示すように、ねじ軸１の外周面に形成されたねじ溝３が切り通しのねじ溝となる。これにより、ねじ軸１をナット２に挿入した状態でエンドデフレクタ６をナット２の軸方向両端部に組み込むときに、エンドデフレクタ６に形成されたタング７がねじ溝３の切り上がり部に干渉することがないので、ねじ軸１の外周面に形成されたねじ溝３が切り上がりのねじ溝である場合でもタング７をエンドデフレクタ６と別体に形成したりすることなくねじ軸１をナット２に挿入した状態でエンドデフレクタ６をナット２の軸方向両端部に組み込むことができる。
【００１１】
図３は本発明の第２の実施形態に係るボールねじ装置のねじ軸とエンドデフレクタを示す図であり、第２の実施形態が第１の実施形態と異なる点は、ねじ軸１が両端部にフランジ部１ａを有する点である。
図４は本発明の第３の実施形態に係るボールねじ装置のねじ軸とエンドデフレクタを示す図であり、同図に示されるように、第３の実施形態に係るボールねじ装置のねじ軸１はねじ溝３を外周面に有している。このねじ溝３はねじ軸１の両端部で切り上がっており、ねじ軸１の両端部には、方形状の平面部９が設けられている。この平面部９はねじ溝３の切り上がり部分を平らに切り欠いて形成されており、ねじ軸１の軸方向に沿う平面部９の長さＬ１、エンドデフレクタ６に形成されたタング７の幅をｘ０とすると、Ｌ１＞ｘ０となっている。
【００１２】
このような平面部９をねじ軸１の両端部に設けると、図４に示すように、ねじ軸１の外周面に形成されたねじ溝３が切り通しのねじ溝となる。これにより、ねじ軸１をナット２に挿入した状態でエンドデフレクタ６をナット２の軸方向両端部に組み込むときに、エンドデフレクタ６に形成されたタング７がねじ溝３の切り上がり部に干渉することがないので、ねじ軸１の外周面に形成されたねじ溝３が切り上がりのねじ溝である場合でもタング７をエンドデフレクタ６と別体に形成したりすることなくねじ軸１をナット２に挿入した状態でエンドデフレクタ６をナット２の軸方向両端部に組み込むことができる。
【００１３】
図５は本発明の第４の実施形態に係るボールねじ装置のねじ軸とエンドデフレクタを示す図であり、同図に示されるように、第４の実施形態に係るボールねじ装置のねじ軸１はねじ溝３を外周面に有している。このねじ溝３はねじ軸１の両端部に切り上がり部を有しており、ねじ溝３の切り上がり部には、ねじ溝３より深い深さを有し且つエンドデフレクタ７に形成されたタング８より大きい底面積を有する穴部１０が設けられている。
【００１４】
このような穴部１０をねじ溝３の切り上がり部に設けると、ねじ軸１の外周面に形成されたねじ溝３が切り通しのねじ溝となる。これにより、ねじ軸１をナット２に挿入した状態でエンドデフレクタ６をナット２の軸方向両端部に組み込むときに、エンドデフレクタ６に形成されたタング７がねじ溝３の切り上がり部に干渉することがないので、ねじ軸１の外周面に形成されたねじ溝３が切り上がりのねじ溝である場合でもタング７をエンドデフレクタ６と別体に形成したりすることなくねじ軸１をナット２に挿入した状態でエンドデフレクタ６をナット２の軸方向両端部に組み込むことができる。
上述した第４の実施形態では、外形形状が円形の穴部１０を例示したが、穴部１０の外形形状は特に限定されるものではなく、例えば長円形状や角形形状であってもよい。
【図面の簡単な説明】
【００１５】
【図１】本発明の第１の実施形態に係るボールねじ装置のねじ軸端部を示す図である。
【図２】本発明の第１の実施形態に係るボールねじ装置のエンドデフレクタを示す図である。
【図３】本発明の第２の実施形態に係るボールねじ装置のねじ軸とエンドデフレクタを示す図である。
【図４】本発明の第３の実施形態に係るボールねじ装置のねじ軸とエンドデフレクタを示す図である。
【図５】本発明の第４の実施形態に係るボールねじ装置のねじ軸の端部を示す図である。
【図６】従来のボールねじ装置の一例を示す図である。
【符号の説明】
【００１６】
１  ねじ軸
２  ナット
３，４  ねじ溝
５  ボール
６  エンドデフレクタ
７  タング
８  軸部
９  平面部
１０  穴部
【図１】
0005092796.tif 000002
【図２】
0005092796.tif 000003
【図３】
0005092796.tif 000004
【図４】
0005092796.tif 000005
【図５】
0005092796.tif 000006
【図６】
0005092796.tif 000007